(57)【要約】【課題】  被取付具の回転動作を抑え、被取付具が吸盤から落下するのを防ぐとともに、被取付具の取り付け及び取り外しを容易にする吸盤取付構造体を提供する。【解決手段】  吸着部３を備えた吸盤２と、この吸盤２によって所定位置に取り付けられる被取付具６とを有する吸盤取付構造体１であって、前記吸盤２は、前記吸着部３の背面に突出された突出部４を有するとともに、この突出部４の側面には差込孔５が形成されており、前記被取付具６は、前記吸盤２の突出部４を挿入可能な挿入孔９を有するとともに、この挿入孔９の内縁部には、前記突出部４を挿入したときに前記差込孔５に差し込むための差込突起１０がその基端部分を弾性変形可能に形成されている。【選択図】      図１
0003140878.tif 000002
【実用新案登録請求の範囲】
【請求項１】
吸着部を備えた吸盤と、この吸盤によって所定位置に取り付けられる被取付具とを有する吸盤取付構造体であって、
前記吸盤は、前記吸着部の背面に突出された突出部を有するとともに、この突出部の側面には差込孔が形成されており、
前記被取付具は、前記吸盤の突出部を挿入可能な挿入孔を有するとともに、この挿入孔の内縁部には、前記突出部を挿入したときに前記差込孔に差し込むための差込突起がその基端部分を弾性変形可能に形成されていることを特徴とする吸盤取付構造体。
【考案の詳細な説明】
【技術分野】
【０００１】
本考案は、吸盤を用いてガラス窓や部屋の壁に装飾具や石鹸置き具等の被取付具を取り付ける吸盤取付構造体に関するものである。
【背景技術】
【０００２】
従来、自動車内の窓ガラス面や部屋の鏡面などのような釘や画鋲を使用できない壁面において、吸盤を用いて取り付ける装飾具等が提案されている。
【０００３】
例えば、実公平６−３６３３７号公報では、長方形の金属板の一方縁に導入用切込とその切込の幅より僅かに大きい直径の嵌着孔を設け、吸盤の背面の突起の周面に凹溝を設けて周径が嵌着孔とほぼ同一の括れ部を形成し、この括れ部を嵌着孔に導入用切込を介して嵌入するカード立て具が提案されている（特許文献１）。
【０００４】
【特許文献１】実公平６−３６３３７号公報
【考案の開示】
【考案が解決しようとする課題】
【０００５】
しかしながら、特許文献１に記載された考案においては、吸盤の背面の突起をカード立部材を構成する金属板に設けられた嵌着孔に嵌入させているだけであるため、吸盤の背面の突起を基点としたカード立て部材の回転動作を抑えることができない。特に、自動車の窓ガラス等に取り付けられた場合は、自動車の走行や停止に伴う振動や反動により、カード立て部材が揺れ傾き、急ブレーキなどによる大きな動きが生じた場合は、カード立て部材が吸盤から外れてしまうという問題がある。カード立て部材の揺れ動きや落下は、運転者の注意をそらし事故を誘発させる原因になり、また、カード立ての落下により運転者や同乗者が怪我をしてしまうおそれがある。
【０００６】
一方、吸盤の背面の突起を基点としたカード立て部材の回転動作を抑えるために、仮に吸盤とカード立て部材を固着すると、吸盤とカード立て部材が一体不可分となるため、カード立て部材を別のカード立て部材や装飾具に変える場合、吸盤も一緒に取り外さなければならず、カード立て部材や装飾具の取り付けが面倒になってしまう。また、吸盤とカード立て部材の固着方法によっては、吸盤をカード立て部材から取り外すことができず、吸盤を別のカード立て部材や装飾具用に利用できないという問題がある。
【０００７】
本考案は、このような問題点を解決するためになされたものであって、被取付具の回転動作を抑え、被取付具が吸盤から落下するのを防ぐとともに、被取付具の取り付け及び取り外しを容易にする吸盤取付構造体を提供することを目的としている。
【課題を解決するための手段】
【０００８】
本考案に係る吸盤取付構造体の特徴は、吸着部を備えた吸盤と、この吸盤によって所定位置に取り付けられる被取付具とを有する吸盤取付構造体であって、前記吸盤は、前記吸着部の背面に突出された突出部を有するとともに、この突出部の側面には差込孔が形成されており、前記被取付具は、前記吸盤の突出部を挿入可能な挿入孔を有するとともに、この挿入孔の内縁部には、前記突出部を挿入したときに前記差込孔に差し込むための差込突起がその基端部分を弾性変形可能に形成されている点にある。
【考案の効果】
【０００９】
本考案によれば、被取付具の回転動作を抑え、被取付具が吸盤から落下するのを防ぐとともに、被取付具の取り付け及び取り外しを容易にすることができる。
【考案を実施するための最良の形態】
【００１０】
以下、本考案に係る吸盤取付構造体の実施形態について図面を用いて説明する。
【００１１】
図１は本考案の実施形態における吸盤取付構造体１を示す斜視図であり、図２は図１における被取付具６の正面図である。図３は本考案に係る吸盤取付構造体１を複数用いてトレーに活用した例を示す模式図である。
【００１２】
以下、各構成について詳細に説明する。
【００１３】
図１に示すように、本実施形態に係る吸盤取付構造体１は、吸盤２と被取付具６によって構成されている。なお、本実施形態では、被取付具６として自動車のガラス窓に吸着する装飾品を一例に説明するが、これに限定されるものではない。
【００１４】
本実施形態に係る吸盤２は、図１に示すように、吸着部３と突出部４を有している。本実施形態に係る吸着部３は、壁面等に吸着する吸着面３ａを有しており、吸盤２及び吸盤２に取り付けられた被取付具６を所定位置に取り付けるようになっている。吸盤２の素材は、特に限定されないが、吸着部３は壁面等に吸着可能な程度に弾性変形可能な材料から構成されることが好ましい。
【００１５】
本実施形態に係る突出部４は、その側面に被取付具６の差込突起１０を差し込むための差込孔５を有しており、突出部４を被取付具６の挿入孔９に挿入して、前記差込孔５に前記差込突起１０を差し込むことによって、突出部４を中心とする被取付具６の回転動作を抑えるとともに、被取付具６の吸盤２からの落下を防ぐようになっている。なお、差込孔５は、貫通していてもよいし、差込突起１０を差し込むことができる程度の深さがあれば貫通していなくてもよい。
【００１６】
本実施形態に係る被取付具６は、図１及び図２に示すように、取付部７と装飾部８を有している。取付部７は挿入孔９と差込突起１０を有しており、装飾部８には自動車内に乳幼児が乗っていることを喚起する文字や図柄等の任意の装飾が施される。なお、本実施形態では、取付部７は装飾部８の上側に形成されているが、取付部７は装飾部８の上、横、斜め等、どの位置に形成されてもよい。また、装飾部８の形は任意に変更してもよい。
【００１７】
本実施形態に係る挿入孔９は、吸盤２の突出部４を差し込むためのものであり、突出部４の周径と同じかやや大きな略円形に形成されている。なお、挿入孔９の形状は、吸盤２の突出部４を挿入させることができればよいから、略円形に限らず、任意の形に変更してもよく、一部に切り込みを設けてもよい。
【００１８】
本実施形態に係る差込突起１０は、吸盤２の差込孔５に差し込んで被取付具６の回転動作を抑え、被取付具６の吸盤２からの落下を防ぐためのものである。差込突起１０は、挿入孔９の内縁部に、挿入孔９の外縁部とほぼ同一面上に形成され、幅は差込孔５の直径より狭く、長さは突出部４の直径と同じかやや短く形成されている。なお、差込突起１０は、差込孔５に差し込むことができる程度の長さがあればよく、適宜変更可能である。
【００１９】
本実施形態に係る差込突起１０は、後述するように、吸盤２に被取付具６を取り付ける際に、突出部４の押圧によって基端部分から一旦折れ曲がり、差込孔５が差込突起１０付近まで到達すると、差込突起１０は差込孔５に入り、折れ曲がりが解消するようになっている。また、被取付具６を吸盤２から取り外す際も、基端部分から引っ張り方向と逆方向に折れ曲がるため、差込突起１０の基端部分は弾性変形可能に形成されている。被取付具６の素材は、特に限定されないが、差込突起１０の基端部分は弾性可能な素材により形成される。
【００２０】
つぎに、前述した本実施形態に係る各構成の作用について説明する。
【００２１】
吸盤２に被取付具６を取り付ける場合について説明する。
【００２２】
吸盤２に被取付具６を取り付ける場合は、突出部４を挿入孔９に挿入する。その際、差込孔５の孔の方向と差込突起１０の長さ方向を平行にして、突出部４を挿入孔９に押し込むようにする。突出部４が挿入孔９に押し込まれると、差込突起１０は突出部４の押圧によって基端部分から突出部４の挿入方向に折れ曲がる。さらに、突出部４が押し込まれ、差込孔５が差込突起１０付近までくると、差込突起１０は差込孔５に入り、差込突起１０に加えられていた突出部４の押圧がなくなって、差込突起１０の折れ曲がりが解消し、差込孔５に差し込まれた状態となって、被取付具６は吸盤２に取り付けられる。
【００２３】
被取付具６を吸盤２から取り外す場合について説明する。
【００２４】
被取付具６を吸盤２から取り外す場合は、被取付具６を吸着部３の逆方向に引っ張って、突出部４から挿入孔９をはずすようにする。被取付具６を吸着部３の逆方向に引っ張ると、差込孔５に差し込まれていた差込突起１０が、基端部分から引っ張り方向と逆方向に折れ曲がって、差込孔５から抜け、突出部４から挿入孔９が外れ、被取付具６を吸盤２から取り外すことができる。
【００２５】
このような本実施形態によれば、差込突起１０が差込孔５に差し込まれるため、被取付具６が左右に大きく揺れたり、回転したりすることがなく、抜け落ちたりすることもない。
【００２６】
また、突出部４を挿入孔９に挿入するだけで被取付具６を吸盤２に取り付けることができ、取り外す場合も被取付具６を引っ張るだけでよいため、被取付具６の取り付け及び取り外しをワンタッチで行うことができ、被取付具６を取り替える際に、被取付具６を吸盤２ごと取り外す必要がない。
【００２７】
さらに、本実施形態のように挿入孔９と差込突起１０を一体的に形成した場合、型抜きにより成型することが可能となるため製作が容易となる。
【００２８】
以上のような本実施形態によれば、被取付具の回転動作を抑え、被取付具の吸盤からの落下を防ぐとともに、被取付具の取り付け及び取り外しを容易にできるという効果を得ることができる。
【００２９】
なお、本実施形態の吸盤取付構造体１は、前述した実施形態に限定されるものではなく、適宜変更することができる。
【００３０】
本実施形態の吸盤取付構造体１の被取付具６は、装飾具だけでなく、カード立て、状差し、トレーなどでもよく、吸盤取付構造体１を複数用いてもよい。例えば、図３に示すように、本考案の吸盤取付構造体を複数使用して、石鹸や台所用品を置くトレーとして活用することができる。
【００３１】
また、挿入孔９と差込突起１０は、本実施形態のように一体的に形成してもよいし、差込突起１０を取付部７と別に製作して接合させてもよい。
【図面の簡単な説明】
【００３２】
【図１】本考案の実施形態における吸盤取付構造体１を示す斜視図である。
【図２】図１における被取付具６の正面図である。
【図３】本考案に係る吸盤取付構造体１を複数用いてトレーに活用した例を示す模式図である。
【符号の説明】
【００３３】
１  吸盤取付構造体
２  吸盤
３  吸着部
３ａ  吸着面
４  突出部
５  差込孔
６  被取付具
７  取付部
８  装飾部
９  挿入孔
１０  差込突起
【図１】
0003140878.tif 000003
【図２】
0003140878.tif 000004
【図３】
0003140878.tif 000005